(57)【特許請求の範囲】
【請求項１】
長尺部材を複数個同時に揚重し順次一個づつ荷卸しする長尺部材用荷吊り治具であって、
複数の吊り索部材で略水平に吊り上げられる荷吊り治具と、
前記荷吊り治具の重心から同心円上に配置された複数の吊り金具と
該吊り金具に取付けられた複数対の吊り索とを備え、
該各対となったの吊り索により吊り上げられた長尺部材の重心は、前記荷吊り治具の重心と一致することを特徴とする長尺部材用荷吊り治具。
【請求項２】
前記荷吊り治具における吊り索部材の取付け位置と、前記吊り金具の取付け位置とが一致することを特徴とする請求項１に記載の長尺部材用荷吊り治具。
【請求項３】
前記複数対の吊り索は、それぞれ対毎に長さが異なることを特徴とする請求項１または２に記載の長尺部材用荷吊り治具。
【請求項４】
前記吊り索は、吊り上げる各長尺部材と干渉しない位置に配置されたことを特徴とする請求項１〜３の何れか１に記載の長尺部材用荷吊り治具。
【請求項５】
前記長尺部材は、荷吊り治具に対する取付け角度が所定角度ずつ変化していることを特徴とする請求項１〜４の何れか１に記載の長尺部材用荷吊り治具。
【請求項６】
前記荷吊り治具は、吊り上げる長尺部材の個数と同数の主梁を同一平面に配置して構成し、
前記主梁のそれぞれに長尺部材吊り上げ用の吊り金具を直接取付けたことを特徴とする請求項１〜５の何れか１に記載の長尺部材用荷吊り治具。
【発明の詳細な説明】
【０００１】
【発明の属する技術分野】
本発明は、複数の長尺部材を安全で且つ効率よく吊り上げることのできると共に、荷卸しできる長尺部材用荷吊り治具に関するものである。
【０００２】
【従来の技術】
近年建築工事に際し、柱、梁、床等のコンクリート構造部材をプレキヤスト化し工期短縮と省人化などの施工の合理化を図る工法が多くなって来ているが、特に床部材など部材数が多く高層階に荷揚げする場合、所定場所への吊り上げ配置と次の部材の荷取りまでの時間を多く要し、せっかくの合理化工法のメリットが損なわれている。一般に工事現場に設置する揚重機は最も重量の大きい柱、梁の吊り上げに十分対応できる吊り上げ能力を有する揚重機を設置するが、床部材等比較的軽量の部材を揚重する場合、図４に示すように部材１を一個ずつワイヤ２で吊って、揚重機のフック３で吊り上げていた。これは、揚重機の荷揚げ能力に対して極めて小さなものであり、作業上のロスを生じている。これは一度に複数の部材を安全に揚重し、さらに安全に据え付け工事が可能で有効な吊り治具が存在しないためである。
【０００３】
これを解決するため、従来は図５、６に示すように、複数の部材１ａ、１ｂ、１ｃをそれぞれ長さの異なるワイヤ一４、５、６を掛けそれぞれのワイヤーをクレーンのフック７に掛けて吊り上げ、最下段の部材１ａから順次、現場に据え付ける方法がとられていた。
【０００４】
【発明が解決しようとする課題】
しかし、従来の図４に示す方法では、一度に１部材（製品）を揚重装置によって吊り上げ所定の位置に据え付け（セッティング）するので、数量の多い部材（製品）を所定の位置に据え付ける作業に多くの時間と手間を要し、高層建築物におけるプレキヤスト組立工法による組立工事の施工は部材の吊り上げに多大な時間的ロスを生じていた。
【０００５】
また、これを解決するべく図５、６に示す様に、複数の部材を同時に吊り上げて所定の位置にセッティングする場合、複数の部材を吊り上げた状態ではワイヤ４、５、６と吊り部材１ａ、１ｂ、１ｃが互いに干渉している為に、吊り荷の重心が安定せず、吊り荷を一つずつ荷取りする度に吊り荷の重心が移動し、安全上大きな問題があった。更に、この不安定な状態で吊り荷のセッティングを行おうとすると、最下位の部材１ａから順次セッティングする事になるため、吊り荷１ｂ、１ｃの下で作業しなければならず、安全上の間題があった。
また、吊り上げる部材を水平面に直角方向に高さを変えて吊り上げる方法もあるが、部材を据え付ける都度、９０度部材の廻転をしなければならず足場の悪い高所での安全作業に問題があった。
このように、部材のセッティングに多くの時間を要することは、工期短縮を目的としたプレキヤスト組立工法の施工効率が著しく阻害されることになる。このため効率的な吊り上げ治具の工夫と作業上の安全確保が課題となっている。
【０００６】
本発明は、前記実情に鑑み提案されたもので、複数の長尺部材を安全で且つ効率よく吊り上げることができ、かつ施工できる長尺部材の施工方法および長尺部材用荷吊り治具を提供することを目的とする。
【０００８】
【課題を解決するための手段】
前記目的を達成するために、請求項１に記載の発明は、長尺部材を複数個同時に揚重し順次一個づつ荷卸しする長尺部材用荷吊り治具であって、複数の吊り索部材で略水平に吊り上げられる荷吊り治具と、前記荷吊り治具の重心から同心円上に配置された複数の吊り金具と該吊り金具に取付けられた複数対の吊り索とを備え、該各対となったの吊り索により吊り上げられた長尺部材の重心は、前記荷吊り治具の重心と一致することを特徴とするものである。
【０００９】
また、請求項２に記載の発明において、前記荷吊り治具における吊り索部材の取付け位置と、前記吊り金具の取付け位置とが一致することを特徴とするものである。
【００１０】
また、請求項３に記載の発明において、前記複数対の吊り索は、それぞれ対毎に長さが異なることを特徴するものである。
【００１１】
また、請求項４に記載の発明において、前記吊り索は、吊り上げる各長尺部材と干渉しない位置に配置されたことを特徴とするものである。
【００１２】
また、請求項５に記載の発明において、前記長尺部材は、荷吊り治具に対する取付け角度が所定角度ずつ変化していることを特徴とするものである。
【００１３】
また、請求項６に記載の発明において、前記荷吊り治具は、吊り上げる長尺部材の個数と同数の主梁を同一平面に配置して構成し、前記主梁のそれぞれに長尺部材吊り上げ用の吊り索を直接取付けたことを特徴とするものである。
【００１４】
【発明の実施の形態】
以下、一実施の形態を示す図面に基づいて本発明を詳細に説明する。図１は、本発明に係る長尺部材用荷吊り治具の使用状態を示す正面図、図２は、本発明の長尺部材用荷吊り治具の使用状態を示す平面図である。本発明の長尺部材用荷吊り治具１０は、長尺部材１１を複数個同時に揚重し順次一個づつ荷卸しするものであって、複数の吊り索部材１２で略水平に吊り上げられる荷吊り治具１３と、荷吊り治具１３の重心Ｇ0から同心円上に配置された複数の吊り金具１５とこの吊り金具１５に取付けられた複数対の吊り索１４とを備え、該各対となったの吊り索１４により吊り上げられた長尺部材１１の重心Ｇ1〜Ｇ4は、前記荷吊り治具１３の重心と一致している。
【００１５】
荷吊り治具１３は、本実施の形態において荷吊り治具１３における吊り索部材１２の取付け位置と、吊り金具１５の取付け位置とが一致するように、荷吊り治具１３の下面から上面まで貫通した吊り金具１５としてもよい。この様に構成した場合、吊り金具１５の上端に吊り索部材１２を連結し、吊り金具１５の下端に吊り索１４を取付ける。吊り索部材１２は、同一長さのワイヤ、チェーンスリング等が使用され、上端がシャックル１６に連結されている。
【００１６】
荷吊り治具１３は、吊り上げる長尺部材１１の個数と同数の主梁１７を同一平面に配置して構成されている。主梁１７は、所定の角度αで本実施の形態では、４本配設されている。また、中央に取付け板１８が配置されると共に、周囲に枠体１９が取付けられている。そして、この主梁１７のそれぞれに長尺部材吊り上げ用の吊り金具１５が重心Ｇ0から等距離の位置に直接取付けられている。更に、本実施の形態では吊り金具１５に２本の吊り索１４が取付けられている。ここで、重心Ｇ0を中心として等距離に取付けられた左右の吊り索１４ａ、１４ａは、それぞれ長さが等しく構成されている。同様に吊り索１４ｂ、１４ｂの長さが等しく、吊り索１４ｃ、１４ｃおよび吊り索１４ｄ、１４ｄもそれぞれ等しい。また、吊り索１４ａ＞吊り索１４ｂ＞吊り索１４ｃ＞吊り索１４ｄの順に長さが異なっている。
【００１７】
次に、以上のように構成された本発明に係る長尺部材用荷吊り治具１０を使用した長尺部材の施工方法について説明する。先ず、図１に示すように長尺部材１１を吊り索１４によりそれぞれ吊り上げる。この際、吊り索１４の長さがそれぞれ異なるので、長尺部材ｉ、ｉｉ、ｉｉｉ、ｉｖは、垂直位置が異なっている。また、長尺部材ｉの重心Ｇ1と長尺部材ｉｉの重心Ｇ2と長尺部材ｉｉｉの重心Ｇ3と長尺部材ｉｖの重心Ｇ4は、荷吊り治具１３の重心Ｇ0と同一鉛直線上に在る。更に、図２に示すように長尺部材ｉ、ｉｉ、ｉｉｉ、ｉｖは、重心Ｇ0を中心として角度αずつ旋回した位置に吊り上げられているので、吊り索１４と長尺部材１１が干渉することなく、長尺部材を順次取り外しても全体の重心が変動することがない。
【００１８】
以上のようにして吊り上げた長尺部材１１、例えば床部材を建築物の高層階に揚重し、図２に示すように作業者が長尺部材ｉから施工して行く。この際、同時に揚重している他の長尺部材ｉｉ、ｉｉｉ、ｉｖが作業者の頭上に来ることがないので安全に作業を進めることができる。また、施工の為に取り外す長尺部材ｉの重心Ｇ1は、荷吊り治具１３の重心Ｇ0と一致しているので、吊り荷の重心が移動することなく安全に作業ができる。したがって、足場の悪い高所での作業にも安全である。
【００１９】
図３は、長尺部材ｉｉを施工する場合を示すものである。吊り荷全体をαだけ矢印方向に旋回させ、長尺部材ｉｉを取り外して、長尺部材ｉの隣に並べる。この際も、作業者は吊り荷の下に位置することなく安全である。また、長尺部材ｉｉを取り外しても、吊り荷全体の重心が移動することなく安全に作業ができる。順次このような作業を繰り返して作業ができる。
なお、本実施の形態では、４本の長尺部材を吊り上げる場合について説明したが、それ以上の本数であっても同様に適用することができる。
【００２０】
【発明の効果】
この発明は前記した構成からなるので、以下に説明するような効果を奏することができる。
【００２１】
本発明では、長尺部材を複数個同時に吊り上げ、順次荷卸ししつつ施工することができ、荷吊り治具の重心と、吊り上げる個々の長尺部材の重心とを一致させて吊り上げると共に、各長尺部材の前記荷吊り治具に対する取付け距離を変化させ、各長尺部材は、相互に干渉しないように吊り上げ、前記長尺部材の最下に位置するものから順次とり外して施工することができる。
【００２２】
このような構成としたことによって、本発明の長尺部材用荷吊り治具は複数の長尺部材を安全で且つ効率よく吊り上げることができると共に、高層建築物におけるプレキャスト組立工事を効率良く施工できる。また、長尺部材のセッティング時および荷卸し作業時に荷下作業となることがない。
【００２３】
また、請求項１に記載の発明において、長尺部材を複数個同時に揚重し順次一個づつ荷卸しする長尺部材用荷吊り治具であって、複数の吊り索部材で略水平に吊り上げられる荷吊り治具と、前記荷吊り治具の重心から同心円上に配置された複数の吊り金具と該吊り金具に取付けられた複数対の吊り索とを備え、該各対となったの吊り索により吊り上げられた長尺部材の重心は、前記荷吊り治具の重心と一致するので、複数個吊り上げられた長尺部材を下から取り外しても全体のバランスが崩れることがなく、高所における荷卸し作業を安全に行うことができる。
【００２４】
また、請求項２に記載の発明において、前記荷吊り治具における吊り索部材の取付け位置と、前記吊り金具の取付け位置とが一致するので、荷吊り治具に曲げ応力が生じることなく、荷吊り治具の構造を軽量化することができる。
【００２５】
また、請求項３に記載の発明において、前記複数対の吊り索は、それぞれ対毎に長さが異なるため、複数の長尺部材を下から順番に荷卸しすることができ、作業の能率化、および安全化を図ることができる。
【００２６】
また、請求項４に記載の発明において、前記吊り索は、吊り上げる各長尺部材と干渉しない位置に配置されたので、長尺部材を取り外す際に他の長尺部材に影響を与えることなく荷卸し作業を行うことができる。
【００２７】
また、請求項５に記載の発明において、前記長尺部材は、荷吊り治具に対する取付け角度が所定角度ずつ変化しているので、荷積み作業および荷卸し作業をする際に同時に吊り上ている長尺部材の荷下になることなく、安全に作業することができる。また、より多くの長尺部材を互いに干渉することなく吊り下げることができる。
【００２８】
また、請求項６に記載の発明において、前記荷吊り治具は、吊り上げる長尺部材の個数と同数の主梁を同一平面に配置して構成し、前記主梁のそれぞれに長尺部材吊り上げ用の吊り索を直接取付けたので、荷吊り治具の構造を簡易で強固なものとすることができる。
【図面の簡単な説明】
【図１】図１は、本発明に係る長尺部材用荷吊り治具の使用状態を示す正面図である。
【図２】図２は、同長尺部材用荷吊り治具の使用状態を示す平面図である。
【図３】図３は、同長尺部材用荷吊り治具の使用状態を示す平面図である。
【図４】図４は、従来の長尺部材用荷吊り方法を説明する説明図である。
【図５】図５は、従来の複数の長尺部材を吊り上げた場合を示す正面図である。
【図６】図６は、図５の側面図である。
【符号の説明】
Ｇ        重心
１０      長尺部材用荷吊り治具
１１      長尺部材
１２      吊り索部材
１３      荷吊り治具
１４      吊り索
１５      吊り金具
１６      シャックル
１７      主梁
１８      取付け板
１９      枠体
【図１】
0003658572.tif 000002
【図２】
0003658572.tif 000003
【図３】
0003658572.tif 000004
【図４】
0003658572.tif 000005
【図５】
0003658572.tif 000006
【図６】
0003658572.tif 000007